(57)【要約】【課題】疾病の種類毎の保険金の取り扱いを適切に設定することができ、被保険者に適切な健康管理を促すことができるとともに、疾病に罹患した場合でも闘病に対するモチベーションを向上することができる保険金算出装置等を提供する。【解決手段】保険金算出装置４０は、疾病の種類に応じた保険金を算出する装置であって、被保険者のバイタルデータ及び生活習慣データのうち少なくとも一方を含む検出データを取得する受信部４１と、検出データと、少なくとも被保険者の年齢を含む被保険者データとを基に、疾病の種類毎に保険金を決定する初期保険金算定部４５及び保険金補正部５１とを備える。【選択図】図４
2018026100.tif 000002
【特許請求の範囲】
【請求項１】
疾病の種類に応じた保険金を算出する装置であって、
被保険者のバイタルデータ及び生活習慣データのうち少なくとも一方を含む検出データを取得する取得部と、
前記検出データと、少なくとも前記被保険者の年齢を含む被保険者データとを基に、前記疾病の種類毎に保険金を決定する決定部とを備える、
保険金算出装置。
【請求項２】
前記取得部は、前記被保険者の保険契約前のバイタルデータ及び生活習慣データのうち少なくとも一方を含む初期検出データを取得し、
前記決定部は、前記初期検出データと、前記被保険者データとを基に、前記疾病の種類毎に保険金の初期値を決定する初期値決定部を含む、
請求項１記載の保険金算出装置。
【請求項３】
前記初期検出データに対して相関を有する疾病の種類毎に、前記初期検出データを複数の区分に分類し、各区分及び前記被保険者の年齢に対して保険金の初期値が設定された複数の保険金初期値テーブルを記憶する保険金初期値記憶部をさらに備え、
前記決定部は、前記複数の保険金初期値テーブルを用いて、前記疾病の種類毎に保険金の初期値を決定する、
請求項２記載の保険金算出装置。
【請求項４】
前記取得部は、前記被保険者の保険契約後のバイタルデータ及び生活習慣データのうち少なくとも一方を含む契約後検出データを取得し、
前記決定部は、前記初期検出データと、前記契約後検出データと、前記被保険者データとを基に、前記疾病の種類毎に前記保険金の初期値を補正する補正部を含む、
請求項２又は３に記載の保険金算出装置。
【請求項５】
前記契約後検出データの変化及び前記疾病の種類に対して補正保険金が設定された保険金補正テーブルを記憶する補正保険金記憶部をさらに備え、
前記補正部は、前記保険金補正テーブルを用いて、前記疾病の種類毎に前記保険金の初期値を補正する、
請求項４記載の保険金算出装置。
【請求項６】
前記取得部は、前記被保険者の前記バイタルデータを検出するバイタル検出装置から前記バイタルデータを取得し、
前記取得部により取得された前記バイタルデータを蓄積するバイタル蓄積部をさらに備え、
前記補正部は、前記バイタル蓄積部に蓄積された前記バイタルデータの変化を基に、疾病の種類毎に前記保険金の初期値を補正する、
請求項４又は５記載の保険金算出装置。
【請求項７】
前記取得部は、前記被保険者の前記生活習慣データを検出する生活習慣検出装置から前記生活習慣データを取得し、
前記取得部により取得された前記生活習慣データを蓄積する生活習慣蓄積部をさらに備え、
前記補正部は、前記生活習慣蓄積部に蓄積された前記生活習慣データの変化を基に、疾病の種類毎に前記保険金の初期値を補正する、
請求項４〜６のいずれかに記載の保険金算出装置。
【請求項８】
前記取得部は、前記被保険者の前記バイタルデータを検出するバイタル検出装置から前記バイタルデータを取得するとともに、前記被保険者の前記生活習慣データを検出する生活習慣検出装置から前記生活習慣データを取得し、
前記取得部により取得された前記バイタルデータ及び前記生活習慣データを継続的に記憶し、前記バイタルデータ及び前記生活習慣データの推移と、所定の疾病に罹患する確率とに関する知見情報を蓄積する疾患データベース部をさらに備え、
前記補正保険金記憶部は、前記疾患データベース部を参照して、前記保険金補正テーブルを補正し、
前記補正部は、前記補正された保険金補正テーブルを用いて、前記疾病の種類毎に前記保険金の初期値を補正する、
請求項５に記載の保険金算出装置。
【請求項９】
前記契約後検出データと、前記被保険者データとを基に、所定の疾患に罹患するリスクを低減するためのアドバイス情報を作成するアドバイス作成部と、
前記アドバイス情報と、前記補正部により補正された保険金に関する情報とを前記被保険者の端末に通知する通知部とをさらに備える、
請求項４〜８のいずれかに記載の保険金算出装置。
【請求項１０】
前記アドバイス作成部は、前記被保険者の行動情報を収集し、前記行動情報を基に、前記被保険者の健康を改善する代替行動を前記アドバイス情報として作成し、
前記通知部は、前記代替行動を前記被保険者の端末に通知する、
請求項９記載の保険金算出装置。
【請求項１１】
疾病の種類に応じた保険金を算出する方法であって、
被保険者のバイタルデータ及び生活習慣データのうち少なくとも一方を含む検出データを取得し、
前記検出データと、少なくとも前記被保険者の年齢を含む被保険者データとを基に、前記疾病の種類毎に保険金を決定する、
保険金算出方法。
【請求項１２】
疾病の種類に応じた保険金を算出する装置として、コンピュータを機能させるためのプログラムであって、
前記コンピュータに、
被保険者のバイタルデータ及び生活習慣データのうち少なくとも一方を含む検出データを取得し、
前記検出データと、少なくとも前記被保険者の年齢を含む被保険者データとを基に、前記疾病の種類毎に保険金を決定する、
処理を実行させる保険金算出プログラム。
【発明の詳細な説明】
【技術分野】
【０００１】
本開示は、疾病の種類に応じた保険金を算出する保険金算出装置、保険金算出方法及び保険金算出プログラムに関し、例えば、被保険者の健康状態、罹患状態、入院発生状態などが重要となる、生命保険、医療保険、介護保険などの各種保険について、疾病に繋がる可能性がある生体情報（バイタルデータ）、及び／又は生活習慣のセンシングを行い、適切な健康状態へ改善、又は適切な健康状態を維持している被保険者に、保険金で報いる保険金算出装置等に関する。
【背景技術】
【０００２】
人が健康を維持及び管理するためには、生活習慣（運動、睡眠、食事など）を改善すること、及び生活習慣の改善の結果として現れる様々なバイタルデータ（血圧値、血糖値など）を適切な値に維持することが重要である。また、バイタルデータが現在適切な値でない場合には、生活習慣を改善すること、及び必要であれば薬の摂取などによりバイタルデータを適切な値に改善することが重要となる。
【０００３】
このために、生活習慣やバイタルデータを計測することが必要となるが、近年、血圧などのバイタルデータを計測するセンサ技術の進歩及びセンサ機器のＩｏＴ（Ｉｎｔｅｒｎｅｔ  ｏｆ  Ｔｈｉｎｇｓ）化によって、生活習慣やバイタルデータを計測する人は、これまでより気軽に負荷が少ない状況で、生活習慣やバイタルデータを計測及び記録し、且つ経時変化をクラウドサーバ等に蓄積できる環境が整ってきた。
【０００４】
例えば、特許文献１には、保険対象の状態を取得した状態データに基づいて決定される保険内容を、状態データの再取得に対する保険契約者側の取組度合いや、保険対象のリスクを低減するための保険契約者側の取組度合いを用いて調整することにより、将来的にリスクの低くなる保険対象に対して保険料を適切に設定することが開示されている。
【先行技術文献】
【特許文献】
【０００５】
【特許文献１】特開２００２−７３９９０号公報
【発明の概要】
【発明が解決しようとする課題】
【０００６】
しかしながら、上記の従来技術では、将来的にリスクの低くなる保険対象に対する保険料の設定についてのみ開示され、疾病の種類毎に保険金をどのように設定すべきかについては、何ら検討されておらず、疾病の種類毎の保険金の取り扱いについて、更なる改善が必要とされていた。
【０００７】
本開示は、上記の課題を解決するためになされたもので、疾病の種類毎に保険金の取り扱いを適切に設定することができ、被保険者に適切な健康管理を促すことができるとともに、疾病に罹患した場合でも闘病に対するモチベーションを向上することができる保険金算出装置、保険金算出方法、及び保険金算出プログラムを提供することを目的とするものである。
【課題を解決するための手段】
【０００８】
本開示の一態様に係る保険金算出装置は、疾病の種類に応じた保険金を算出する装置であって、被保険者のバイタルデータ及び生活習慣データのうち少なくとも一方を含む検出データを取得する取得部と、前記検出データと、少なくとも前記被保険者の年齢を含む被保険者データとを基に、前記疾病の種類毎に保険金を決定する決定部とを備える。
【発明の効果】
【０００９】
本開示によれば、疾病の種類毎に保険金の取り扱いを適切に設定することができ、被保険者に適切な健康管理を促すことができるとともに、疾病に罹患した場合でも闘病に対するモチベーションを向上することができる。
【図面の簡単な説明】
【００１０】
【図１】保険料の構成を示す図である。
【図２】生命表の一部抜粋を示す図である。
【図３】本開示の実施の形態１に係る保険金算出システムの構成の一例を示すブロック図である。
【図４】図３に示すバイタル検出装置、生活習慣検出装置、及び保険金算出装置の構成の一例を示すブロック図である。
【図５】図４に示す保険金初期値記憶部に記憶される、血圧値及び年齢に対する保険料と虚血性疾患に罹患したときの保険金とを規定した虚血性疾患用保険金初期値テーブルの一例を示す図である。
【図６】図４に示す保険金初期値記憶部に記憶される、血糖値及び年齢に対する保険料と糖尿病に罹患したときの保険金とを規定した糖尿病用保険金初期値テーブルの一例を示す図である。
【図７】図４に示す保険金初期値記憶部に記憶される、喫煙暦及び年齢に対する保険料と肺がんに罹患したときの保険金とを規定した肺がん用保険金初期値テーブルの一例を示す図である。
【図８】保険加入時の疾病の種類毎の保険金の初期値の一例を示す図である。
【図９】図４に示す保険金算出装置により保険金の初期値を決定する初期値決定処理の一例を示すフローチャートである。
【図１０】図４に示す保険金補正値記憶部に記憶される、バイタルデータ、生活習慣データ及び疾患リスクに基づいた疾病別の保険金補正テーブルの一例を示す図である。
【図１１】保険加入後の疾病の種類毎の補正後の保険金の一例を示す図である。
【図１２】図４に示す保険金算出装置により保険金を補正する保険金補正処理の一例を示すフローチャートである。
【図１３】所定の疾患に罹患したときの保険金の変化の一例を示す図である。
【図１４】所定の疾患に罹患したときの保険金の変化及び変化要因の一例を示す図である。
【図１５】疾病の種類毎の保険金一覧の一例を示す図である。
【図１６】各疾患に罹患した際に支払われる保険金の推移の一例を一覧で示す図である。
【図１７】所定の疾患に罹患する確率をどのようにすれば減じられるかを提示するアドバイス情報の一例を示す図である。
【図１８】図４に示す保険金算出装置の変形例である保険金初期値算定装置の構成の一例を示すブロック図である。
【図１９】図４に示す保険金算出装置の他の変形例である保険金補正装置の構成の一例を示すブロック図である。
【図２０】本開示の実施の形態２に係る代替行動提案システムの構成の一例を示すブロック図である。
【発明を実施するための形態】
【００１１】
（本開示の基礎となった知見）
以下、本開示の基礎となった知見について説明する。
【００１２】
（日本の医療保険制度）
まずは、本開示の背景となる日本の医療保険制度を説明する。日本の医療保険制度は別名「国民皆保険制度」と呼ばれているように、日本国民は、国民健康保険（自営業者など向け）、健康保険（会社員など向け）、共済組合保険（公務員など向け）、船舶保険（船員など向け）、及び後期高齢者医療保険（７５歳以上の人向け）として知られるいずれかの公的医療保険に加入する。これによって、日本国民は、実際にかかった治療費の７割以上が、公的医療保険によって保障されている。
【００１３】
上記の公的医療保険を医療保険制度全体の１階部分とみなすと、民間の保険会社が提供する保険は、２階部分を構成し、公的医療保険を補完する役割が期待されている。具体的には、入院した際の入院費や入院に伴う収入減を補う役割、又は、癌など特定疾患にかかった際に要する手術費など治療費が膨らむ際の費用補填を行う役割が期待される。
【００１４】
また、この２階建ての状況を平成２５年の厚生労働省のデータ（平成２５年度「国民医療費の概況」）から金額ベースの概略として見ると、公的医療保険による負担が３９兆５０００億円、個人負担が５０００億円、民間保険の保険金支払いが約１兆円であり、公的医療保険の役割の大きさとともに、個人負担分を超える金額が民間保険の支払いで補填される様子が伺える。
【００１５】
（保険の仕組み）
続いて、保険の仕組みを簡単に説明する。保険は大きく三分野に大別される。
【００１６】
第一分野は、生命保険として分類される分野であり、人の生存又は死亡に関して保険契約としてあらかじめ約定された保険金が、生命保険会社から支払われる保険である。
【００１７】
第二分野は、損害保険として分類される分野であり、一定の偶然の事故によって生じた損害額に応じて保険金を支払う保険のことであり、例えば、自動車保険、火災保険などの同分野の保険に分類される。また、ペットが罹患した際の治療費が保険金として支払われるペット保険もこの分野に含まれる。
【００１８】
第三分野は、第一分野、第二分野のいずれにも当てはまらない保険の総称であり、医療分野の保険（医療保険、がん保険、介護保険など）が代表例であり、疾病等に罹患した場合、所定の給付金が保険金として支払われる。本明細書においては、このような給付金を含む意味で「保険金」との用語を用い、以降、特に記載しない限り、保険金及び給付金を併せて「保険金」と記載する。
【００１９】
ここで、保険の基本的な仕組みを、生命保険の中でも死亡保障を行う定期保険を例として説明する。
【００２０】
図１は、保険料の構成を示す図である。図１に示すように、保険料は、付加保険料と純保険料との２つからなる。付加保険料は、営業保険料とも呼ばれ、保険を販売する営業関係の費用、保険を管理するバックエンドシステムのコスト、保険会社の社員の人件費などの保険を商品として販売及び維持する上で必要な費用が含まれる。これに対して、純保険料は、保険料のうち、保険事故が起きたときに保険会社が支払う保険金に当てられる部分を言う。
【００２１】
次に、純保険料を簡易化して説明する。例として、期間が１年間の生命保険において、被保険者が１００人、被保険者が支払う年間保険料の中で純保険料相当分が１万円、集めた保険料を保険会社が運用する際の金利を簡単のために０％と設定し、被保険者の中で１名が期間の末に死亡する場合を考える。なお、実際の死亡率は、例えば、後述する図２に示される生命表を用いて計算され、０歳時に１０００００人が生まれたと過程し、１年経過する毎に何人死亡し、何人が生存しているかを示す統計に基づいて厳密に計算されている。
【００２２】
上記の例では、被保険者から合計１００万円が保険料として保険会社に支払われ、１名の死亡者に対して１００万円が支払われる。このように、保険会社が純保険料として集めたお金（収入保険料の原価）は、所定の事象（この場合、死亡）が発生した場合に支払われる保険金（支払い保険金の総額）に等しくなるように、保険商品は設計されている。
【００２３】
前述の例においては、人の生死によって保険金が発生する生命保険について説明したが、医療保険においては、例えば、入院日数に応じた保険金（入院１日毎に１００００円が給付金として被保険者に支払われる保険金）や、心疾患など特定の疾患になった場合に１０万円などが保険金として支払われる商品形態が一般的である。この場合、保険料、特に純保険料の計算にあたっては、前述の生命保険と同様に、被保険者の中で、どれだけの比率の人が入院するかを示す入院率や、特定の疾患に罹患するかの罹患率に基づいて算出される。
【００２４】
（リスク細分化保険に関して）
これまでの医学の進歩に伴い、血圧、血糖値などの様々なバイタルデータ、及び食生活や喫煙有無などの生活習慣が、死亡確率、入院率、及び特定の疾患に罹患する確率に影響することが分かってきている。
【００２５】
図２は、生命表の一部抜粋を示す図である。例えば、図２に示す生命表が作成される際には、喫煙者と非喫煙者が区別されることなく、喫煙者と非喫煙者との両方が母集団に含まれるようにして統計処理が行われ、４０歳から４１歳になるまでに１２６人が死亡することになる。これに対して、喫煙者に限定した生命表を作成したとすると、喫煙者は様々な疾患にかかりやすいことが判明しているため、例えば、４０歳から４１歳になるまでの死亡者数が１２６人を超えることがわかっている。また、非喫煙者に限定した生命表を作成したとすると、４０歳から４１歳になるまでに死亡する人数は１２６人より少なくなる。
【００２６】
また、血圧値に関しても、正常血圧を維持している人に対して、血圧が高い人（高血圧者）は、虚血性疾患（虚血性心疾患）などに罹患し、入院する可能性が高い、つまり入院率が高いこともわかってきている。
【００２７】
上記の既存の医療保険では、同一の保険商品を保有する、健康管理を適切に行っていた被保険者と、健康管理を怠ってきた被保険者とが、同じ疾患に罹患した場合に支払われる保険金が同額であった。しかしながら、健康管理の有無にかかわらず、同額の保険金が支払われると、健康管理を適切に行ってきた被保険者は、これまで行ってきた健康管理がまったく報われないという気持ちになる。また、健康管理をしても、病気になる時はなり、健康管理の努力は無駄だったという闘病する際にマイナス要因となる気持ちを生じさせるという課題があった。
【００２８】
このよう状況に対して、最近では、一般にリスク細分化保険と称される保険が発売されている。すなわち、リスク細分化保険では、バイタルデータや生活習慣が、死亡率、入院率、特定疾患への罹患率に関わることが判明しており、被保険者の各々の生活習慣やバイタルデータから算出されるリスクに基づいて保険料が設定される。
【００２９】
一例として、一定期間の死亡保険（２０年などの保険期間中に死亡した場合に所定の保険金が支払われる保険）においては、前述の喫煙者向けの生命表と非喫煙者向けの生命表との差異により、喫煙者と非喫煙者との間で保険料に差異をつけ、同じ保障を得るのに、喫煙者が支払うべき保険料が、非喫煙者が支払うべき保険料より高く設定された生命保険商品が既に販売されている。また、同様の例として、血圧をはじめとする複数のバイタルデータが正常な人と、血圧又はその他のバイタルデータが正常でない人とに対して、異なる保険料が設定された保険商品が既に発売されている。
【００３０】
（リスク細分化保険の海外事例）
また、前述のリスク細分化保険をさらに進めた事例として、被保険者が行う多種多様な健康活動（最適体重の維持、血圧などのバイタルデータの定常的な測定、予防接種、健康な食生活、健康サプリメントの取得、運動習慣、ストレス状況の改善、健康なライフスタイル、健康教育の受講など）の状況及び進捗を日々保険会社が監視することが行われている。また、それぞれの健康活動をポイント化し、取得したポイントの蓄積に応じて、翌年の保険料を低減する保険商品が商品化されている。この保険は、前述のリスク細分化保険の考え方を、健康に繋がる生活全般に拡大したものと捉えることができ、現在、被保険者は、日々の健康活動を通じて、通常保険料から５〜１５％程度の割引を受けることが可能となっている。
【００３１】
（日本におけるリスク細分化保険の課題）
前述の海外事例においては、バイタルデータや生活習慣に応じて保険料が５〜１５％程度低減される事例を示した。この事例を日本に当てはめて考えてみると、前述のように日本の医療保険制度においては、公的医療保険による医療費負担が極めて大きく、民間の医療保険は、金額的には公的医療保険を補うものとなっているため、実際に被保険者が民間の医療保険向けに支払っている保険料は、月額数千円程度が一般的である。
【００３２】
つまり、民間の医療保険において、保険会社が被保険者のリスクを細分化し、各保険者に応じて保険料を低減したとしても、海外における保険料の低減率を参考とすると、たかだか数百円程度の金額が減額されるに過ぎない。これは、被保険者の立場になると、血圧や血糖値を維持するために毎日適切な食事を適量摂取する、毎日１００００歩歩く、健康の知見を高めるための教育を受ける等の日々の健康努力を行ったとしても、それによって得られる金銭的メリットが月額数百円となることを意味し、健康努力に見合わないと感じる被保険者が多くなることが予想される。 
【００３３】
（生体情報及び生活習慣の取得に関する技術の進歩）
一方、近年、技術の進歩に伴い、被保険者が自身のバイタルデータを高頻度又は連続で計測及び記録したり、生活習慣を計測及び記録したりすることが手軽にできるようになっている。
【００３４】
例えば、従来の血圧計であれば、被保険者は血圧を測定する際に、血圧計を取り出し、上腕や手首にカフと呼ばれる締め付ける器具を巻きつけ、カフに所定の加圧を行うことによって、血圧を測定する必要があった。つまり、従来の血圧測定においては、被保険者にかかる手間や時間を鑑みると、頻繁な計測は困難であった。
【００３５】
これに対して、近年、カフによる締め付けなしに、血圧を測定する技術が実用化されつつある（例えば、ｈｔｔｐ：／／ｍａｉｓｅｎｓｅ．ｃｏｍ／ｅｎ／参照）。この場合、カフによる締め付けなしで、より高頻度に又は連続的に血圧の測定が可能となる。このように、上腕や手首に取り付けるウェアラブル形態の血圧計を用いて、血圧を高頻度に計測したり、血圧を連続的に常時計測したりすることが可能となりつつある。
【００３６】
また、別の例では、血糖値の測定方法も技術革新により変わりつつある。従来、血糖値を計測するには、被計測者は、自らの指先などを侵襲の針で突き刺し、採血する必要があった。このため、糖尿病を始めとする疾病に罹患しないために、血糖値管理の重要性が認識されてもなお、普通の人が普段の生活の中で手軽に血糖値を測定及び管理するには至っていない。
【００３７】
しかしながら、近年の技術進歩に伴い、採血を行うことなく、クリップを耳たぶに挟む等により皮膚を通して血管に特定の光を当てて、その反射光や透過光から血糖値を計測する技術開発が進められている。このように、耳たぶを挟み込むなどの採血なしの方法で、血糖値を高頻度又は連続的に測定することも可能となりつつある。
【００３８】
また、別の例では、宅内の家電機器を使った生活習慣及び宅内環境の計測も実用可能となってきた。例えば、冷蔵庫の開閉回数を検知したり、冷蔵庫内の食品の状況（何が入っているのか、いつ使われたのか等）を冷蔵庫内に設置されたカメラの映像を画像解析することによって把握したりすることにより、家庭における食生活、例えば、自炊が多いのか、外食が多いのか、肉類の消費が多いのか、野菜も適量摂取しているのか等を推測することが可能となってきている。さらに、オーブンレンジや、電子レンジ内に入れられた料理を解析することによっても、健康管理に重要な食生活の状況を計測することが可能となってきた。
【００３９】
また、エアコンに付属の温度センサによって脳溢血などに繋がる宅内の極端な温度変化を検知したり、エアコンに付属の人感センサによって人の動きや運動量を捉えたりすることも可能となっている。
【００４０】
ここまで述べてきたように、これまで病院でないと計測できない、すなわち、宅内で計測することができなかった又は宅内での計測が困難であったバイタルデータの高頻度計測及び常時計測、これらの計測結果の蓄積、並びに、生活習慣の取得及び蓄積が容易となってきた。
【００４１】
上記知見に基づき、本願発明者らは、バイタルデータ及び／又は生活習慣データを用いて疾病の種類毎に保険金の取り扱いを如何に設定すべきかについて鋭意検討を行った結果、複数のバイタルデータ及び／又は複数の生活習慣データを基に、疾病の種類毎に被保険者に支払われる保険金の金額を初期値として設定し、さらに、バイタルデータ及び生活習慣データの維持及び改善によって、被保険者に支払われる保険金を疾病の種類毎に補正することを案出し、本開示を完成したものである。
【００４２】
この構成によれば、被保険者が健康管理を行うにあたって、被保険者のバイタルデータや生活習慣をどう改善すれば、どのような疾患になる可能性が減じられるかを、保険金という分かりやすい指標で理解できるというメリットがある。かかるメリットによって被保険者が健康の維持向上に努め、幸運にもいかなる疾病にも罹患せず、健康が維持できた場合は、何ものにも代え難い健康を維持できたという多大なメリットが得られる。一方、不幸にも罹患した場合には、健康管理を適切に行ってきた被保険者に対して、支払われる保険金が増額される。
【００４３】
この結果、これまでの健康管理努力が報われたと感じられるとともに、増額された保険金を使うことによって、闘病するにあたっての様々なサポート、例えば、入院の際の病室をより快適な個室に変更したり、闘病を後押しする健康食品を購入できたりする等、健康管理を行ってきたのと同様のモチベーションで闘病を続けることが可能となる。
【００４４】
上記の知見に基づく、本開示の一態様に係る保険金算出装置は、疾病の種類に応じた保険金を算出する装置であって、被保険者のバイタルデータ及び生活習慣データのうち少なくとも一方を含む検出データを取得する取得部と、前記検出データと、少なくとも前記被保険者の年齢を含む被保険者データとを基に、前記疾病の種類毎に保険金を決定する決定部とを備える。
【００４５】
このような構成により、被保険者のバイタルデータ及び生活習慣データのうち少なくとも一方を含む検出データを取得し、取得した検出データと、少なくとも被保険者の年齢を含む被保険者データとを基に、疾病の種類毎に保険金を決定しているので、被保険者のバイタルデータ及び／又は生活習慣に応じて、疾病の種類毎に保険金の取り扱いを適切に設定することができ、被保険者に適切な健康管理を促すことができるとともに、疾病に罹患した場合でも闘病に対するモチベーションを向上することができる。
【００４６】
前記取得部は、前記被保険者の保険契約前のバイタルデータ及び生活習慣データのうち少なくとも一方を含む初期検出データを取得し、前記決定部は、前記初期検出データと、前記被保険者データとを基に、前記疾病の種類毎に保険金の初期値を決定する初期値決定部を含むようにしてもよい。
【００４７】
このような構成により、被保険者の保険契約前のバイタルデータ及び生活習慣データのうち少なくとも一方を含む初期検出データを取得し、取得した初期検出データと被保険者データとを基に、疾病の種類毎に保険金の初期値を決定しているので、被保険者の保険契約前のバイタルデータ及び／又は生活習慣に応じて、疾病の種類毎に保険金の初期値を適切に決定することができ、保険契約前の被保険者に適切な健康管理を促すことができる。
【００４８】
上記保険金算出装置は、前記初期検出データに対して相関を有する疾病の種類毎に、前記初期検出データを複数の区分に分類し、各区分及び前記被保険者の年齢に対して保険金の初期値が設定された複数の保険金初期値テーブルを記憶する保険金初期値記憶部をさらに備え、前記決定部は、前記複数の保険金初期値テーブルを用いて、前記疾病の種類毎に保険金の初期値を決定するようにしてもよい。
【００４９】
このような構成により、初期検出データに対して相関を有する疾病の種類毎に、初期検出データを複数の区分に分類し、各区分及び被保険者の年齢に対して保険金の初期値が設定された複数の保険金初期値テーブルを用いて、疾病の種類毎に保険金の初期値を決定しているので、初期検出データの区分及び被保険者の年齢に応じて、疾病の種類毎に保険金の初期値を正確に且つきめ細かく決定することができ、保険契約前の被保険者により適切な健康管理を促すことができる。
【００５０】
前記取得部は、前記被保険者の保険契約後のバイタルデータ及び生活習慣データのうち少なくとも一方を含む契約後検出データを取得し、前記決定部は、前記初期検出データと、前記契約後検出データと、前記被保険者データとを基に、前記疾病の種類毎に前記保険金の初期値を補正する補正部を含むようにしてもよい。
【００５１】
このような構成により、被保険者の保険契約後のバイタルデータ及び生活習慣データのうち少なくとも一方を含む契約後検出データを取得し、初期検出データと、契約後検出データと、被保険者データとを基に、疾病の種類毎に保険金の初期値を補正しているので、被保険者の保険契約後のバイタルデータ及び／又は生活習慣の変化に応じて、疾病の種類毎に保険金の初期値を適切に補正することができ、保険契約後の被保険者に適切な健康管理を促すことができるとともに、疾病に罹患した場合でも闘病に対するモチベーションを向上することができる。
【００５２】
上記保険金算出装置は、前記契約後検出データの変化及び前記疾病の種類に対して補正保険金が設定された保険金補正テーブルを記憶する補正保険金記憶部をさらに備え、前記補正部は、前記保険金補正テーブルを用いて、前記疾病の種類毎に前記保険金の初期値を補正するようにしてもよい。
【００５３】
このような構成により、契約後検出データの変化及び疾病の種類に対して補正保険金が設定された保険金補正テーブルを用いて、疾病の種類毎に保険金の初期値を補正しているので、契約後検出データの変化に応じて、疾病の種類毎に保険金の初期値を正確に且つきめ細かく補正することができ、保険契約後の被保険者により適切な健康管理を促すことができるとともに、疾病に罹患した場合でも闘病に対するモチベーションをより向上することができる。
【００５４】
前記取得部は、前記被保険者の前記バイタルデータを検出するバイタル検出装置から前記バイタルデータを取得し、上記保険金算出装置は、前記取得部により取得された前記バイタルデータを蓄積するバイタル蓄積部をさらに備え、前記補正部は、前記バイタル蓄積部に蓄積された前記バイタルデータの変化を基に、疾病の種類毎に前記保険金の初期値を補正するようにしてもよい。
【００５５】
このような構成により、被保険者のバイタルデータを検出するバイタル検出装置からバイタルデータを取得し、取得したバイタルデータを蓄積し、蓄積したバイタルデータの変化を基に、疾病の種類毎に保険金の初期値を補正しているので、蓄積した契約後のバイタルデータの継続的な変化に応じて、疾病の種類毎に保険金の初期値をより正確に補正することができる。
【００５６】
前記取得部は、前記被保険者の前記生活習慣データを検出する生活習慣検出装置から前記生活習慣データを取得し、上記保険金算出装置は、前記取得部により取得された前記生活習慣データを蓄積する生活習慣蓄積部をさらに備え、前記補正部は、前記生活習慣蓄積部に蓄積された前記生活習慣データの変化を基に、疾病の種類毎に前記保険金の初期値を補正するようにしてもよい。
【００５７】
このような構成により、被保険者の生活習慣データを検出する生活習慣検出装置から生活習慣データを取得し、取得した生活習慣データを蓄積し、蓄積した生活習慣データの変化を基に、疾病の種類毎に保険金の初期値を補正しているので、蓄積した契約後の生活習慣データの継続的な変化すなわち生活習慣の継続的な変化に応じて、疾病の種類毎に保険金の初期値をより正確に補正することができる。
【００５８】
前記取得部は、前記被保険者の前記バイタルデータを検出するバイタル検出装置から前記バイタルデータを取得するとともに、前記被保険者の前記生活習慣データを検出する生活習慣検出装置から前記生活習慣データを取得し、上記保険金算出装置は、前記取得部により取得された前記バイタルデータ及び前記生活習慣データを継続的に記憶し、前記バイタルデータ及び前記生活習慣データの推移と、所定の疾病に罹患する確率とに関する知見情報を蓄積する疾患データベース部をさらに備え、前記補正保険金記憶部は、前記疾患データベース部を参照して、前記保険金補正テーブルを補正し、前記補正部は、前記補正された保険金補正テーブルを用いて、前記疾病の種類毎に前記保険金の初期値を補正するようにしてもよい。
【００５９】
このような構成により、被保険者のバイタルデータを検出するバイタル検出装置からバイタルデータを取得するとともに、被保険者の生活習慣データを検出する生活習慣検出装置から生活習慣データを取得し、取得したバイタルデータ及び生活習慣データを継続的に記憶し、記憶しているバイタルデータ及び生活習慣データの推移と、所定の疾病に罹患する確率とに関する知見情報を蓄積する疾患データベース部を参照して、保険金補正テーブルを補正し、補正した保険金補正テーブルを用いて、疾病の種類毎に保険金の初期値を補正しているので、継続的に蓄積されたバイタルデータ及び生活習慣の推移と、所定の疾病に罹患する確率とに関する知見情報を用いて保険金補正テーブルを正確に補正することができ、この正確に補正された保険金補正テーブルを用いて、疾病の種類毎に保険金の初期値をより正確に補正することができる。
【００６０】
上記保険金算出装置は、前記契約後検出データと、前記被保険者データとを基に、所定の疾患に罹患するリスクを低減するためのアドバイス情報を作成するアドバイス作成部と、前記アドバイス情報と、前記補正部により補正された保険金に関する情報とを前記被保険者の端末に通知する通知部とをさらに備えるようにしてもよい。
【００６１】
このような構成により、契約後検出データと、被保険者データとを基に、所定の疾患に罹患するリスクを低減するためのアドバイス情報を作成し、作成したアドバイス情報と、補正された保険金に関する情報とを被保険者の端末に通知しているので、被保険者が何をすればさらに各種疾患に罹患するリスクを低減できるかを容易に理解することが可能となり、被保険者の更なる健康努力を後押しすることができる。
【００６２】
前記アドバイス作成部は、前記被保険者の行動情報を収集し、前記行動情報を基に、前記被保険者の健康を改善する代替行動を前記アドバイス情報として作成し、前記通知部は、前記代替行動を前記被保険者の端末に通知するようにしてもよい。
【００６３】
このような構成により、被保険者の行動情報を収集し、収集した行動情報を基に、被保険者の健康を改善する代替行動をアドバイス情報として作成し、作成した代替行動を被保険者の端末に通知しているので、被保険者が何をすればさらに各種疾患に罹患するリスクを低減できるかを具体的に理解することが可能となり、被保険者の更なる健康努力をより後押しすることができる。
【００６４】
また、本開示は、以上のような特徴的な構成を備える保険金算出装置として実現することができるだけでなく、保険金算出装置が備える特徴的な構成に対応する特徴的な処理を実行する保険金算出方法などとして実現することもできる。また、このような保険金算出方法に含まれる特徴的な処理をコンピュータに実行させるコンピュータプログラムとして実現することもできる。したがって、以下の他の態様でも、上記の保険金算出装置と同様の効果を奏することができる。
【００６５】
本開示の他の態様に係る保険金算出方法は、疾病の種類に応じた保険金を算出する方法であって、被保険者のバイタルデータ及び生活習慣データのうち少なくとも一方を含む検出データを取得し、前記検出データと、少なくとも前記被保険者の年齢を含む被保険者データとを基に、前記疾病の種類毎に保険金を決定する。
【００６６】
本開示の他の態様に係る保険金算出プログラムは、疾病の種類に応じた保険金を算出する装置として、コンピュータを機能させるためのプログラムであって、前記コンピュータに、被保険者のバイタルデータ及び生活習慣データのうち少なくとも一方を含む検出データを取得し、前記検出データと、少なくとも前記被保険者の年齢を含む被保険者データとを基に、前記疾病の種類毎に保険金を決定する、処理を実行させる。
【００６７】
また、このようなコンピュータプログラムを、ＣＤ−ＲＯＭ等のコンピュータ読取可能な非一時的な記録媒体又はインターネット等の通信ネットワークを介して流通させることができるのは、言うまでもない。
【００６８】
なお、以下で説明する実施の形態は、いずれも本開示の一具体例を示すものである。以下の実施の形態で示される数値、形状、構成要素、ステップ、ステップの順序などは、一例であり、本開示を限定する主旨ではない。また、以下の実施の形態における構成要素のうち、最上位概念を示す独立請求項に記載されていない構成要素については、任意の構成要素として説明される。また、全ての実施の形態において、各々の内容を組み合わせることもできる。
【００６９】
以下、本開示の実施の形態について、図面を参照しながら説明する。
【００７０】
（実施の形態１）
図３は、本開示の一実施の形態に係る保険金算出システムの構成の一例を示すブロック図である。図３に示す保険金算定システムは、バイタル検出装置１０、生活習慣検出装置２０、携帯端末３０、及び保険金算出装置４０を備える。
【００７１】
バイタル検出装置１０、生活習慣検出装置２０、携帯端末３０、及び保険金算出装置４０は、インターネット、専用回線等の所定の有線又は無線のネットワークＮＴを介して、通信可能に接続されている。
【００７２】
なお、図示を容易にするために、図３では、１台のバイタル検出装置１０、１台の生活習慣検出装置２０、及び１台の携帯端末３０を図示しているが、この例に特に限定されず、一人の被保険者（被保険者となりうる人も含む）が複数台のバイタル検出装置、生活習慣検出装置及び携帯端末を用いていてもよいし、複数の被保険者が本保険金算定システムを利用する場合は、被保険者毎に１台又は複数台のバイタル検出装置、生活習慣検出装置及び携帯端末を用いてもよい。
【００７３】
バイタル検出装置１０は、例えば、バイタルデータ（生体情報）を取得できるスマートウォッチ等のウェアラブル機器等から構成される。バイタル検出装置１０は、被保険者（保険加入者）の血圧値や血糖値に代表されるバイタルデータを検出し、検出したバイタルデータを、ネットワークＮＴを介して保険金算出装置４０に送信する。なお、バイタル検出装置１０は、上記の例に特に限定されず、種々のバイタルデータを検出する種々のバイタル検出装置を用いることができる。
【００７４】
生活習慣検出装置２０は、例えば、通常の家電機能等に加えて、生活習慣データを検出する機能を有する冷蔵庫、オーブンレンジ、電子レンジ、エアコン、空気清浄機等から構成される。生活習慣検出装置２０は、喫煙などの被保険者の生活習慣データを検出し、検出した生活習慣データを、ネットワークＮＴを介して保険金算出装置４０に送信する。なお、生活習慣検出装置２０は、上記の例に特に限定されず、種々の生活習慣データを検出する種々の生活習慣検出装置を用いることができる。
【００７５】
保険金算出装置４０は、例えば、プロセッサ、メモリ、及び外部記憶装置等を備えるクラウドサーバ等から構成される。保険金算出装置４０は、バイタル検出装置１０から被保険者のバイタルデータと、生活習慣検出装置２０から被保険者の生活習慣データとを検出データとして受信し、受信した検出データと、後述する被保険者データとを基に、疾病の種類毎に保険金（保険金及び／又は給付金の初期値、並びに補正後の保険金及び／又は給付金）を決定する。
【００７６】
ここで、疾病の種類としては、例えば、診療報酬明細書、調剤報酬明細書及び訪問看護療養費明細書等のレセプトに記載される疾病の区分を用いることができる。なお、疾病の種類は、この例に特に限定されず、例えば、成人病、悪性腫瘍、内臓疾患、外傷等の大分類毎に保険金を決定したり、医学的に細分化された疾病毎に保険金を決定したりする等の種々の変更が可能である。
【００７７】
また、保険金算出装置４０は、被保険者の保険契約後の契約後検出データと、被保険者データとを基に、所定の疾患に罹患するリスクを低減するためのアドバイス情報を作成し、作成したアドバイス情報と、決定した保険金に関する情報とを、ネットワークＮＴを介して携帯端末３０に送信する。
【００７８】
携帯端末３０は、例えば、スマートフォン等から構成され、保険金算出装置４０から送信されたアドバイス情報及び保険金に関する情報等を表示し、被保険者に通知する。なお、携帯端末３０は、上記の例に特に限定されず、タブレット、据置型又は携帯型のパーソナルコンピュータ等の他の端末を用いてもよい。
【００７９】
図４は、図３に示すバイタル検出装置１０、生活習慣検出装置２０、及び保険金算出装置４０の構成の一例を示すブロック図である。なお、図４では、図示を容易にするためにネットワークＮＴの図示を省略している。
【００８０】
バイタル検出装置１０は、バイタル検出部１１、バイタル記憶部１２、及び送信部１３を備える。生活習慣検出装置２０は、生活習慣検出部２１、生活習慣記憶部２２、及び送信部２３を備える。保険金算出装置４０は、受信部４１、バイタル蓄積部４２、生活習慣蓄積部４３、個人情報ＤＢ（データベース）４４、初期保険金算定部４５、保険金初期値記憶部４６、第１疾患ＤＢ（データベース）４７、保険金記憶部４８、アドバイス作成部４９、通知部５０、保険金補正部５１、保険金補正値記憶部５２、第２疾患ＤＢ（データベース）５３を備える。
【００８１】
まず、本実施の形態の保険金算定システムにおいて、保険金の初期値がどのようにして決定されるかについて、図４を用いて説明する。
【００８２】
バイタル検出装置１０のバイタル検出部１１は、血圧などの被保険者のバイタルデータを計測して検出する。バイタル記憶部１２は、バイタル検出部１１によって検出されたバイタルデータを一旦蓄積する。送信部１３は、初期検出データとして、バイタル記憶部１２に蓄積されているバイタルデータを保険金算出装置４０に送信する。
【００８３】
なお、本実施の形態では、バイタル検出装置１０を使ってバイタルデータを検出し、保険金算出装置４０に送信するものとしたが、この例に特に限定されず、種々の変更が可能である。例えば、保険勧誘員が健康診断で測定された被保険者のバイタルデータを手入力で保険金算出装置４０に入力してもよいし、健康診断で測定されたバイタルデータが印字された紙を、図に記載しない健康診断読み取り装置などで文字列として読み取り、読み取った文字列を保険金算出装置４０に入力してもよい。
【００８４】
生活習慣検出装置２０の生活習慣検出部２１は、喫煙の状態などの被保険者の生活習慣データを取得して検出する。生活習慣記憶部２２は、生活習慣検出部２１によって検出された生活習慣データを一旦蓄積する。送信部２３は、初期検出データとして、生活習慣記憶部２２に蓄積されている生活習慣データを保険金算出装置４０に送信する。
【００８５】
なお、本実施の形態では、生活習慣検出装置２０を使って生活習慣データを検出し、保険金算出装置４０に送信するものとしたが、この例に特に限定されず、種々の変更が可能である。例えば、保険勧誘者が、被保険者となりうる人からヒアリングして、保険金算出装置４０に入力してもよいし、被保険者となりうる人が保険加入前から蓄積していた生活習慣データを保険金算出装置４０に入力してもよい。また、例えば、被保険者となりうる人が保有する冷蔵庫などの家電機器に蓄積されるデータが、冷蔵庫などの家電機器の販売事業者又は開発事業者が保有するクラウドサーバ等に蓄積されている場合には、販売事業者又は開発事業者が保有する生活習慣データを、保険金算出装置４０に入力するなどしてもよい。
【００８６】
つまり、保険金算出装置４０が保険金の初期値を算定するために必要とされるバイタルデータや生活習慣データの取得に関して、バイタルデータや生活習慣データの信頼性が高い限りにおいて方法は問わない。また、本実施の形態では、初期検出データとして、バイタルデータ及び生活習慣データの両方を用いているが、バイタルデータ及び生活習慣データのうち一方のみを用いてもよい。
【００８７】
保険金算出装置４０は、保険金の初期値を算定するために、バイタル検出装置１０によって取得されたバイタルデータと、生活習慣検出装置２０によって取得された生活習慣データとを受信部４１で受信し、バイタルデータをバイタル蓄積部４２に蓄積し、生活習慣データを生活習慣蓄積部４３に蓄積する。個人情報ＤＢ４４は、被保険者となりうる人の年齢や性別等を含む個人情報（被保険者データ）を予め記憶している。
【００８８】
初期保険金算定部４５は、バイタル蓄積部４２及び生活習慣蓄積部４３から得られるバイタルデータ及び生活習慣データを第１の入力とし、個人情報ＤＢ４４に記憶されている被保険者となりうる人の年齢や性別などの被保険者データを第２の入力とし、疾病の種類毎の保険金初期値テーブルが記憶されている保険金初期値記憶部４６を参照し、各疾病に罹患して入院した際に支払われる保険金の初期値を算出する。初期保険金算定部４５は、算出した保険金の初期値を、保険金記憶部４８に記憶させるとともに、アドバイス作成部４９及び通知部５０に出力する。
【００８９】
なお、被保険者データの取得方法は、上記の例に特に限定されず、被保険者データを記憶する他のサーバ等から取得する等の種々の変更が可能である。また、被保険者データに含まれる情報も上記の例に特に限定されず、少なくとも被保険者の年齢を含む情報であればよく、また、身長、体重、家族構成等の他の情報を含むようにしてもよい。
【００９０】
次に、保険金初期値記憶部４６に記憶されている疾病の種類毎の保険金初期値テーブルの一例について説明する。図５は、図４に示す保険金初期値記憶部４６に記憶される、血圧値及び年齢に対する保険料と虚血性疾患に罹患したときの保険金とを規定した虚血性疾患用保険金初期値テーブルの一例を示す図である。
【００９１】
図５に示す虚血性疾患用保険金初期値テーブルは、被保険者の血圧値及び年齢に基づいて、血圧値の高低と罹患確率に強い相関を持つ虚血性疾患になって入院した際の入院日額として支払われる保険金（給付金）を示す保険金初期値テーブルである。この保険金初期値テーブルでは、血圧値を、至適、正常、正常高値、Ｉ度高血圧、ＩＩ度高血圧、ＩＩＩ度高血圧の区分に分類し、各区分及び年齢に対して保険料及び保険金が設定されている。例えば、４１歳のＩ度高血圧の人が支払う保険料は月額１１００円であり、同じ人が虚血性疾患に罹患して入院した場合、日額８０００円が給付金（保険金の初期値）として支払われることを表している。
【００９２】
図６は、図４に示す保険金初期値記憶部４６に記憶される、血糖値及び年齢に対する保険料と糖尿病に罹患したときの保険金とを規定した糖尿病用保険金初期値テーブルの一例を示す図である。
【００９３】
図６に示す糖尿病用保険金初期値テーブルは、保険金初期値テーブルの別の例であり、被保険者の血糖値及び年齢に基づいて、血糖値の高低と罹患確率に強い相関を持つ糖尿病になって入院した際の入院日額として支払われる保険金（給付金）を示す保険金初期値テーブルである。この保険金初期値テーブルでは、血糖値を、正常、正常高値、境界域等の区分に分類し、各区分及び年齢に対して保険料及び保険金が設定されている。例えば、４２歳で血糖値が境界域の被保険者が支払う保険料は月額１２００円であり、同じ人が糖尿病に罹患して入院した場合、日額８０００円が給付金（保険金の初期値）として支払われることを表している。
【００９４】
図７は、図４に示す保険金初期値記憶部４６に記憶される喫煙暦及び年齢に対する保険料と肺がんに罹患したときの保険金とを規定した肺がん用保険金初期値テーブルの一例を示す図である。
【００９５】
図７に示す肺がん用保険金初期値テーブルは、保険金初期値テーブルのさらに別の例であり、被保険者の喫煙暦及び年齢に基づいて、喫煙暦と罹患確率に強い相関を持つ肺がんになって入院した際の入院日額として支払われる保険金（給付金）を示すテーブルである。この保険金初期値テーブルでは、喫煙状態を、喫煙歴無、喫煙中、禁煙１年以上、禁煙３年以上、禁煙５年以上の区分に分類し、各区分及び年齢に対して保険料及び保険金が設定されている。例えば、４２歳で喫煙中の被保険者が支払う保険料は月額１２００円であり、同じ人が肺がんに罹患して入院した場合、日額５０００円が給付金（保険金の初期値）として支払われることを表している。
【００９６】
ここで重要なことは、被保険者が保険商品を購入するにあたって、購入時のバイタルデータや生活習慣データに基づき、バイタルデータや生活習慣と相関の高い疾病の種類毎に保険金（給付金）の金額（初期値）が設定されることである。
【００９７】
図８は、保険加入時の疾病の種類毎の保険金の初期値の一例を示す図である。例えば、被保険者が４０歳であり、血圧がＩＩ度高血圧であり、血糖値が境界域であり、禁煙期間が１年以上であるとすると、図５〜図７で示した各保険金初期値テーブルから、図８に示されるように、虚血性疾患になって入院した際には日額６０００円、糖尿病で入院した際には日額８０００円、肺がんで入院した際には日額６０００円が、保険加入時の疾病の種類毎の保険金の初期値となる。
【００９８】
このように、疾病の種類を問わず入院が発生したら一律の金額が支払われるのではなく、保険加入時（被保険者の保険契約前）の各バイタルデータや各生活習慣データと、それぞれ相関の強い疾患に対して異なる保険金が設定されるため、被保険者の立場を鑑みると、保険加入時にどの疾患に重点的に気を付けるべきかが、図８に示す疾病の種類毎の保険金の初期値によって表される数値で明確となり、前述の被保険者の場合、血糖値の管理よりも、特に血圧の改善と、禁煙の継続が重要となることが示される。
【００９９】
また、ここまでは、保険金初期値記憶部４６の疾病の種類毎の保険金初期値テーブルに基づいて保険金が算出されるものとして説明したが、実際の保険金算定にあたっては、複数のバイタルデータや、複数の生活習慣データに基づいて、疾病の種類毎の保険金初期値を求めてもよい。例えば、虚血性疾患に罹患して入院した際の保険金の初期値を算出する場合において、血圧値だけでなく、血糖値も相関があることが判明している場合であれば、血圧値と血糖値との両方から虚血性疾患に罹患して入院した際の保険金を算出する虚血性疾患用保険金初期値テーブルを用いてもよいし、テーブル形式ではなく、算出式を使ってもよい。
【０１００】
また、保険金初期値記憶部４６は、第１疾患ＤＢ４７に接続され、第１疾患ＤＢ４７は、種々のバイタルデータ及び生活習慣と種々の疾病との関係性を表す複数の知見情報を予め記憶又は適時追加される。保険金初期値記憶部４６は、第１疾患ＤＢ４７に蓄積されている知見情報に基づいて、保険金初期値テーブルを補正及び更新する。
【０１０１】
例えば、生活習慣の１つである通勤時間が長い被保険者の方が、通勤時間が短い被保険者より日々の歩数が多くなり、結果的に健康であるとの知見情報があった場合には、その知見情報を第１疾患ＤＢ４７に追加して蓄積してもよい。この場合、保険金初期値記憶部４６は、第１疾患ＤＢ４７に蓄積されている知見情報を参照して、疾病の種類毎の保険金初期値テーブルとして、通勤時間に対する各疾病に対する保険金を示す保険金初期値テーブルや算出式を追加して記憶する。
【０１０２】
このように、第１疾患ＤＢ４７には、最新の医学知識に基づいた知見情報が蓄積され、初期保険金算定部４５は、この知見情報に基づいた疾病の種類毎の保険金初期値テーブルを記憶している保険金初期値記憶部４６を用いて、保険料の初期値を設定する。したがって、バイタルデータ及び生活習慣と特定の疾病との関係がより一層明確となり、被保険者は、最新の医学に基づいた保険料の初期値の設定を通じて、どういったバイタルデータ及び生活習慣の改善が必要であるかを知ることが可能となる。
【０１０３】
通知部５０は、初期保険金算定部４５により算出された保険金の初期値等の情報を、被保険者が使用する携帯端末３０に送信する。携帯端末３０は、保険金算出装置４０から送信された保険金の初期値等の情報を、被保険者に対して提示する。
【０１０４】
アドバイス作成部４９は、初期保険金算定部４５から、保険契約前の初期検出データと、被保険者データと、保険金の初期値とを取得し、所定の疾患に罹患するリスクを低減するためのアドバイス情報を作成して通知部５０に出力する。通知部５０は、アドバイス作成部４９により作成されたアドバイス情報等を、被保険者が使用する携帯端末３０に送信する。携帯端末３０は、保険金算出装置４０から送信されたアドバイス情報等を、被保険者に対して提示する。
【０１０５】
次に、上記のように構成された保険金算出装置４０の保険金の初期値を決定する初期値決定処理について説明する。図９は、図４に示す保険金算出装置４０により保険金の初期値を決定する初期値決定処理の一例を示すフローチャートである。
【０１０６】
まず、保険金算出装置４０は、被保険者のバイタルデータを取得する処理を行う（ステップＳ１１）。具体的には、受信部４１は、バイタル検出装置１０によって検出されたバイタルデータを受信して取得し、バイタルデータをバイタル蓄積部４２に蓄積し、初期保険金算定部４５は、バイタル蓄積部４２からバイタルデータを取得する。ここで取得されるバイタルデータは、前述のように血圧計などに代表されるバイタル検出装置１０によって検出されてもよいし、健康診断結果を電子的又は紙で取得するなどしてもよく、取得されるバイタルデータの信頼度が高い限りにおいては取得方法を問わない。
【０１０７】
次に、保険金算出装置４０は、被保険者の生活習慣データを取得する処理を行う（ステップＳ１２）。具体的には、受信部４１は、生活習慣検出装置２０によって検出された生活習慣データを受信して取得し、生活習慣データを生活習慣蓄積部４３に蓄積し、初期保険金算定部４５は、生活習慣蓄積部４３から生活習慣データを取得する。ここで取得される生活習慣データに関しても、前述のように生活習慣検出装置２０によって行ってもよいし、被保険者からのアンケートに基づいてもよいし、生活習慣データの取得が困難である場合においては、生活習慣の取得処理をスキップしてもよい。
【０１０８】
次に、保険金算出装置４０は、被保険者の少なくとも年齢を取得する（ステップＳ１３）。具体的には、初期保険金算定部４５は、個人情報ＤＢ４４から被保険者の年齢を含む被保険者データを取得する。
【０１０９】
次に、初期保険金算定部４５は、保険金初期値記憶部４６に記憶されている疾病の種類毎の保険金初期値テーブルを参照して、取得済みのバイタルデータ、生活習慣データ、及び年齢に基づいて、疾病の種類毎の保険金の初期値を決定する（ステップＳ１４）。
【０１１０】
最後に、通知部５０は、初期保険金算定部４５により決定された疾病の種類毎の保険金の初期値を携帯端末３０に送信し、初期保険金算定部４５は、疾病の種類毎の保険金の初期値を保険金記憶部４８に設定する（ステップＳ１５）。
【０１１１】
次に、上記の保険金の初期値が、被保険者のバイタルデータの推移や、生活習慣の改善によってどのように補正されるかを説明する。
【０１１２】
上記の保険金の初期値が設定され、被保険者が保険に加入した後に、上記と同様に、バイタル検出部１１で検出された血圧などのバイタルデータは、契約後検出データとして、バイタル記憶部１２に蓄積され、送信部１３を通して保険金算出装置４０に送信される。
【０１１３】
また、上記の保険金の初期値が設定され、被保険者が保険に加入した後に、生活習慣検出部２１で検出された喫煙の状態や歩数などの生活習慣データは、契約後検出データとして、生活習慣記憶部２２に蓄積され、送信部２３を通して保険金算出装置４０に送信される。なお、本実施の形態では、契約後検出データとして、バイタルデータ及び生活習慣データの両方を用いているが、バイタルデータ及び生活習慣データのうち一方のみを用いてもよい。
【０１１４】
バイタル検出装置１０によって検出されたバイタルデータは、受信部４１によって受信され、バイタル蓄積部４２に記憶される。また、生活習慣検出装置２０によって検出された生活習慣データは、受信部４１によって受信され、生活習慣蓄積部４３に蓄積される。
【０１１５】
保険金記憶部４８には、初期保険金算定部４５により算出された保険金の初期値が記憶されている。保険金補正部５１は、保険金の初期値を補正するために、バイタル蓄積部４２及び生活習慣蓄積部４３から得られるバイタルデータ及び生活習慣データを第１の入力とし、保険金記憶部４８に記憶されている保険金の初期値を第２の入力とし、必要に応じて、個人情報ＤＢ４４に記憶されている被保険者の年齢や性別などの被保険者データを第３の入力とし、補正保険金テーブルが記憶されている保険金補正値記憶部５２を参照し、各疾病に罹患して入院した際に支払われる保険金の初期値を補正する。保険金補正部５１は、補正した保険金を補正後の保険金として、保険金記憶部４８に記憶させるとともに、アドバイス作成部４９及び通知部５０に出力する。
【０１１６】
補正後の保険金は、通知部５０によって被保険者の携帯端末３０に通知されるとともに、補正される毎に、保険金記憶部４８に記録されて更新される。
【０１１７】
ここで、第１の入力であるバイタルデータや生活習慣データは、被保険者が保険加入後（保険契約後）に計測される契約後検出データである。例えば、宅内や通勤途中などで計測される血圧や血糖値、空気清浄機から検知され得る喫煙の有無、冷蔵庫や電子レンジなどから計測される食生活のデータなど、被保険者の健康に関わる様々なバイタルデータや生活習慣データが第１の入力の対象となる。
【０１１８】
次に、保険金補正値記憶部５２に記憶されている疾病の種類毎の保険金補正テーブルについて説明する。図１０は、図４に示す保険金補正値記憶部５２に記憶される、バイタルデータ、生活習慣データ及び疾患リスクに基づいた疾病別の保険金補正テーブルの一例を示す図である。
【０１１９】
図１０に示す保険金補正テーブルは、契約後検出データの変化及び疾病の種類に対して補正保険金が設定されている。図１０の上段に示す例では、例えば、被保険者の血圧がＩＩ度高血圧から正常の血圧に改善した場合における、各疾患（虚血性疾患、糖尿病、肺がん）に対する補正保険金Δが示されている。例えば、図８に示した保険金の初期値で契約した被保険者が、前述の血圧改善を達成した場合、虚血性疾患に罹患して入院した際の保険金は当初６０００円であったのに対して、補正保険金Δの値がプラス３００円であるため、この被保険者が虚血性疾患に罹患して入院した際には、血圧改善に基づいて３００円の保険金（給付金）が余分に加算され、日額６３００円が保険金として支払われることとなる。
【０１２０】
なお、図１０では、血圧値が正常になった場合にのみ、保険金を補正するものとしたが、例えば血圧を所定の回数以上計測する（例えば、毎日一回）を行なう被保険者に対して血圧の値によらず保険金を増減させてもよい。医療観点では、図１０に示しているように血圧値が正常にならなければ、虚血性疾患のリスクは低減されず、従って保険金を増減させるに至らない。しかし、保険の考え方では、例えば１００人が毎日血圧を測定する中で、３０人が食事や運動に気をつける等、血圧を下げる行動をとった場合、３０人のリスクが低減したことにより保険会社が支払う保険金は低減されることになる。すなわち、毎日血圧を測定する１００人に対して、保険金を増減させることができるからである。
【０１２１】
同様に、図１０の中段に示すように、血糖値が境界域から正常になった際にも、各疾患（虚血性疾患、糖尿病、肺がん）に対する保険金の補正が行われる。この例においては、血糖値の改善は、糖尿病のみならず、虚血性疾患に罹患して入院する確率にも影響するものとし、虚血性疾患に対する保険金の補正も行っている。この例は、血糖値が糖尿病の罹患率と相関があるだけでなく、虚血性疾患の罹患率にも若干の相関がある場合を想定した例である。したがって、血糖値の改善に対して、糖尿病の罹患時の補正保険金Δはプラス４００円、虚血性疾患の罹患時の補正保険金Δはプラス１００円というように、特定のバイタルデータと各種疾患との相関の大きさに応じて、補正保険金Δの値を設定している。
【０１２２】
また、図１０の下段に示すように、禁煙を２年以上継続した場合においては、虚血性疾患の罹患時の補正保険金Δはプラス１００円、糖尿病の罹患時の補正保険金Δはプラス１００円、肺がんの罹患時の補正保険金Δはプラス１０００円となっている。これらのバイタルデータ及び生活習慣の改善の積み重ねと、各疾病に対する保険金の補正によって、補正後の保険金が被保険者に提示される。
【０１２３】
図１１は、保険加入後の疾病の種類毎の補正後の保険金の一例を示す図である。図１１に示すように、上記の補正により、例えば、虚血性疾患になって入院した際には日額６５００円、糖尿病で入院した際には日額８５００円、肺がんで入院した際には日額７０００円が、疾病の種類毎の補正後の保険金（給付金）となる。
【０１２４】
なお、上記の例では、図１０に示す補正保険金テーブルを用いて保険金の補正を行ったが、これに限定されるものではなく、例えば、血圧値、血糖値、生活習慣などのデータを入力とする数式で判定してもよい。また、図１０に示す補正保険金テーブルは、バイタルデータ又は生活習慣の改善による保険金の増加額を補正保険金として設定しているが、この例に特に限定されず、例えば、バイタルデータ又は生活習慣が改悪された場合に保険金の減少額を補正保険金として設定する等の種々の変更が可能である。
【０１２５】
また、保険金補正値記憶部５２は、疾患データベース部の一例である第２疾患ＤＢ５３に接続されている。第２疾患ＤＢ５３は、種々のバイタルデータ及び生活習慣と種々の疾病との関係性を表す複数の知見情報を予め記憶するとともに、受信部４１を介して、バイタル検出装置１０からのバイタルデータ及び生活習慣検出装置２０からの生活習慣データを蓄積し、これらのデータに基づく知見情報を適時追加する。保険金補正値記憶部５２は、第２疾患ＤＢ５３に蓄積されている知見情報等に基づいて、補正保険金テーブルを補正及び更新する。
【０１２６】
このように、第２疾患ＤＢ５３は、受信部４１により取得されたバイタルデータ及び生活習慣データを継続的に記憶し、バイタルデータ及び生活習慣データの推移と、所定の疾病に罹患する確率とに関する知見情報を蓄積する。保険金補正値記憶部５２は、第２疾患ＤＢ５３に蓄積された知見情報を用いて、保険金補正テーブルを補正する。保険金補正部５１は、補正された保険金補正テーブルを用いて、疾病の種類毎に保険金の初期値を補正する。
【０１２７】
この場合の基本的な考え方は、図４で示した保険金初期値記憶部４６と同様であるが、保険金補正値記憶部５２と保険金初期値記憶部４６との違いは、保険金補正値記憶部５２が参照する知見情報が、主にバイタルデータの変化量や、生活習慣の変化量に基づいた知見情報であるのに対して、保険金初期値記憶部４６が参照する知見情報が、変化量よりも、バイタルデータの瞬時値や生活習慣の瞬時値に基づいた知見情報であることである。
【０１２８】
つまり、保険金初期値記憶部４６は、定期健診などで計測される一時の血圧の高低に基づいて、特定の疾患に罹患する確率の増減を記載した知見情報を用いて、保険金初期値テーブルを補正するのに対して、保険金補正値記憶部５２は、血圧値がどの値から別のどの値に改善したら特定の疾患の罹患率がどれだけ低減されるかのように、バイタルデータ及び生活習慣の変化量に基づいた知見情報を用いて、保険金補正テーブルを補正することになる。
【０１２９】
これまで、バイタルデータや生活習慣データの蓄積は、主に健康診断などによる年に１回程度の検査や医師によるヒアリング等によって取得されてきたことから、医学の知見は、年に１回程度の検査に基づいて、将来どれだけ特定の疾患に罹患するかを追跡する研究が主であった。
【０１３０】
つまり、第１疾患ＤＢ４７に蓄積される知見情報は、これまでの医学知見から多く得られる情報である。一方、バイタルデータや生活習慣データの変化値に着目する第２疾患ＤＢ５３においては、宅内など普段の生活において高頻度又は継続的に検出されたバイタルデータ及び生活習慣データの推移と、特定の疾病に罹患する確率とに関する知見情報を蓄積している。このように、１年に１回の健康診断でなく、宅内など普段の生活において高頻度又は継続的に蓄積されて研究されるバイタルデータや生活習慣の推移と、特定の疾病に罹患する確率に関する知見情報がより重要度を増すこととなると考えられる。
【０１３１】
通知部５０は、保険金補正値記憶部５２により算出された補正後の保険金等の情報を、被保険者が使用する携帯端末３０に送信する。携帯端末３０は、保険金算出装置４０から送信された補正後の保険金等の情報を、被保険者に対して提示する。
【０１３２】
アドバイス作成部４９は、保険金補正値記憶部５２から、保険契約後の契約後検出データと、被保険者データと、補正後の保険金とを取得し、所定の疾患に罹患するリスクを低減するためのアドバイス情報を作成して通知部５０に出力する。通知部５０は、アドバイス作成部４９により作成されたアドバイス情報等を、被保険者が使用する携帯端末３０に送信する。携帯端末３０は、保険金算出装置４０から送信されたアドバイス情報等を、被保険者に対して提示する。
【０１３３】
上記のように、本実施の形態では、第２疾患ＤＢ５３に蓄積される最新の医学知識と、バイタルデータ及び生活習慣データの推移と、特定の疾病に罹患する確率とに関する知見情報とに基づいて保険金が補正されるため、よりいっそう、被保険者のバイタルデータ及び生活習慣と、特定の疾病との関係が明確となり、被保険者は、最新の医学に基づいた補正後の保険金を知ることが可能となる。
【０１３４】
このように、本実施の形態では、これまでの保険のように保険加入時に一定額に定められた保険金でなく、バイタルデータや生活習慣によって、疾病の種類毎に支払われる保険金を定め、さらにバイタルデータや生活習慣の改善によって、疾病の種類毎に支払われる保険金を補正している。したがって、被保険者は、どのバイタルデータや生活習慣を改善することによって、将来の疾患のリスクを軽減し、健康を維持することができるかを、疾病の種類毎に補正された保険金の金額として容易に知りうることが可能となる。
【０１３５】
また、上記の疾病の種類毎の保険金の補正に関しては、被保険者が少しずつでも健康努力を積み重ねられるように、いったん補正によって上昇した保険金は減額されないように、テーブルや算出式を設定することによって、被保険者の健康努力の継続を後押ししてもよい。
【０１３６】
また、生活習慣検出装置２０が、例えば、冷蔵庫の開閉や電子レンジの使用履歴などに基づいた食生活を検出する装置である場合、複数の人が住む家においては、必ずしも前述の家電機器による生活習慣が、同じ家に住む被保険者の生活習慣を指し示すとは限らない。例えば、４人家族において、夫が被保険者であるとし、夫以外の家族は健康的な食生活を送っていて、夫は外食が多く不健康な食生活を送っているようなケースも考えられる。
【０１３７】
このような場合には、個人情報ＤＢ４４に家族構成を加えるとともに、夫の保有するスマートフォン（例えば、携帯端末３０）のＧＰＳ（Ｇｌｏｂａｌ  Ｐｏｓｉｔｉｏｎｉｎｇ  Ｓｙｓｔｅｍ）情報を用いて、夫が食事の時間帯に自宅にいるのか、自宅外にいるのかを識別するなどして、夫の食生活をより厳密に検知してもよい。また、家族を１人１人識別できない生活習慣の場合には、保険金の算出や補正に生活習慣を加えないでもよい。
【０１３８】
次に、上記のように構成された保険金算出装置４０の疾病の種類毎の保険金を補正する保険金補正処理について説明する。図１２は、図４に示す保険金算出装置４０により保険金を補正する保険金補正処理の一例を示すフローチャートである。
【０１３９】
まず、保険金算出装置４０の保険金補正部５１は、保険金の初期値を保険金記憶部４８から取得するとともに、保険金の初期値を算出する際に使用されたバイタルデータ及び生活習慣データをバイタル蓄積部４２及び生活習慣蓄積部４３から取得する（ステップＳ２１）。
【０１４０】
次に、保険金算出装置４０は、被保険者の保険加入後のバイタルデータを取得する処理を行う（ステップＳ２２）。具体的には、受信部４１は、バイタル検出装置１０によって検出された保険加入後のバイタルデータを受信して取得し、バイタルデータをバイタル蓄積部４２に蓄積し、保険金補正部５１は、バイタル蓄積部４２からバイタルデータを取得する。ここで取得されるバイタルデータは、前述のように血圧計などに代表されるバイタル検出装置１０によって検出されてもよいし、健康診断結果を電子的又は紙で取得するなどしてもよく、取得されるバイタルデータの信頼度が高い限りにおいては取得方法を問わない。
【０１４１】
次に、保険金算出装置４０は、被保険者の保険加入後の生活習慣データを取得する処理を行う（ステップＳ２３）。具体的には、受信部４１は、生活習慣検出装置２０によって検出された保険加入後の生活習慣データを受信して取得し、生活習慣データを生活習慣蓄積部４３に蓄積し、保険金補正部５１は、生活習慣蓄積部４３から生活習慣データを取得する。ここで取得される生活習慣データに関しても、前述のように生活習慣検出装置２０によって行ってもよいし、被保険者からのアンケートに基づいてもよいし、生活習慣データの取得が困難である場合においては、生活習慣の取得処理をスキップしてもよい。
【０１４２】
次に、保険金補正部５１は、ステップＳ２１で取得した保険金初期値設定時のバイタルデータ及び生活習慣データと、ステップＳ２２、及びＳ２３で取得したバイタルデータ及び生活習慣データとを比較し、バイタルデータ及び生活習慣の改善度合いを判定する（ステップＳ２４）。
【０１４３】
次に、保険金補正部５１は、保険金補正値記憶部５２に記憶されている疾病の種類毎の補正保険金テーブルを参照して、バイタルデータ及び生活習慣データの改善度合いに基づいて、疾病の種類毎の保険金の初期値を補正する（ステップＳ２５）。
【０１４４】
最後に、通知部５０は、保険金補正部５１により補正された疾病の種類毎の補正後の保険金を携帯端末３０に送信し、保険金補正部５１は、疾病の種類毎の補正後の保険金を保険金記憶部４８に設定する（ステップＳ２６）。
【０１４５】
このように、本実施の形態では、保険金の初期値を設定した時のバイタルデータ及び生活習慣が、保険加入後にどのように変化したかを判定することによって、被保険者の健康努力によるバイタルデータ及び生活習慣の差異を明らかにし、保険金の補正を行う。なお、上記の保険金補正処理では、保険金の初期値を算出する際に使用されたバイタルデータ及び生活習慣データと、保険契約後のバイタルデータ及び生活習慣データとを比較して保険金の初期値を補正する処理について説明したが、保険金の補正は、上記の例に特に限定されず、保険契約後のバイタルデータ及び生活習慣データの変化に応じて、上記のようにして補正した保険金をさらに補正する等の種々の変更が可能である。
【０１４６】
また、上記のように過去に計測されたバイタルデータ及び生活習慣データと、現在計測されたバイタルデータ及び生活習慣データとの比較を行うために、バイタル蓄積部４２及び生活習慣蓄積部４３には、過去の計測値を含めてバイタルデータ及び生活習慣データが記録されていることが望ましい。このとき、例えば、喫煙期間が５年を過ぎると、喫煙暦のない人と疾患リスクが同じになるのであれば、喫煙に関する生活習慣は、過去５年間だけ記録することにより、生活習慣蓄積部４３に必要とされる記録媒体の必要容量を低減してもよい。
【０１４７】
次に、保険商品を購入する被保険者に対して、どのように保険金の補正を通知するかに関して説明する。
【０１４８】
図１３は、所定の疾患に罹患したときの保険金の変化の一例を示す図である。図１３は、例えば、被保険者のスマートフォン等から構成される携帯端末３０の表示画面に提示される画面例を示している。この例においては、虚血性疾患になって入院した際に支払われる保険金の推移として、昨年の保険金６０００円に対して、今年の保険金は６５００円になったことが示されている。
【０１４９】
このような被保険者に対する通知は、通知部５０によって作成される。すなわち、バイタル検出装置１０によって検出されるバイタルデータと、生活習慣検出装置２０によって検出される生活習慣データとを入力として、保険金補正部５１にて補正後の保険金が算出され、通知部５０を通じて、被保険者にスマートフォンやその他ディスプレイを保有する機器（例えば、携帯端末３０）に通知することで実現される。
【０１５０】
このように、バイタル検出装置１０から検出されるバイタルデータや、生活習慣検出装置２０から検出される生活習慣データによって、保険金補正部５１によって保険金が補正され、さらに、保険金算出装置４０からスマートフォン等の携帯端末３０に通知する形態を考えると、保険金算出装置４０は、クラウドを構成する演算装置上に構成されていることが望ましい。
【０１５１】
上記のように、特定の疾患に対する給付金の金額の推移を示すことによって、被保険者が特定の疾患に罹患するリスクの増減をわかり易く理解することが可能となる。
【０１５２】
図１４は、所定の疾患に罹患したときの保険金の変化及び変化要因の一例を示す図である。図１４に示す例は、図１３の派生例であるが、図１３との違いは、被保険者がバイタルデータ及び生活習慣の何を改善したことによって、昨年の保険金６０００円が今年の保険金６５００円に増額されたかが追記されている点である。この例では、血圧維持により３００円、血糖値の改善により１００円、禁煙により１００円増額されている。このように、携帯端末３０等の表示画面に、改善した点と、給付金の増減の関係とが明示されることにより、被保険者は、自身の健康努力を振り返り、どのようなバイタルデータの改善や、生活習慣の改善が健康に繋がったかを知ることが可能となる。 
【０１５３】
次に、複数の疾患に対する給付金額を示すグラフをスマートフォン等の携帯端末３０の表示画面に提示する例について説明する。図１５は、疾病の種類毎の保険金一覧の一例を示す図である。
【０１５４】
図１５に示す例は、虚血性疾患に罹患したときの給付金が６０００円であり、糖尿病に罹患したときの給付金が７５００円であり、肺がんに罹患したときの給付金が６０００円である例である。このように、携帯端末３０等の表示画面に、疾病の種類毎にいくらの保険金が支払われるかを一目で被保険者が理解できるように表示することによって、どの疾病に罹患するリスクが高いのかを一目で理解できる。
【０１５５】
図１６は、各疾患に罹患した際に支払われる保険金の推移の一例を一覧で示す図である。図１６に示す例は、図１３及び図１４で示した疾病の種類毎の保険金の推移を一覧で被保険者が閲覧できるように一画面内に表示した例である。図１６に示す例では、虚血性疾患に罹患したときの保険金は５００円増額されて６５００円となり、糖尿病に罹患したときの保険金は５００円増額されて８０００円となり、肺がんに罹患したときの保険金は１０００円増額されて７０００円となっている。このように、携帯端末３０等の表示画面に、疾病の種類毎にいくら増額されていくらの保険金が支払われるかを一目で被保険者が理解できるように表示することによって、どの疾病に罹患するリスクが高いのかを一目で理解できるとともに、昨年からの保険金の増加額を一目で理解できる。
【０１５６】
また、アドバイス作成部４９が各疾患に罹患するリスクを低減するためのアドバイス情報を作成した場合、通知部５０は、アドバイス情報を含む画面を作成して携帯端末３０に送信し、携帯端末３０は、アドバイス情報を含む画面を表示する。図１７は、所定の疾患に罹患する確率をどのようにすれば減じられるかを提示するアドバイス情報の一例を示す図である。
【０１５７】
具体的には、図１５に示す画面の疾病の種類毎の保険金を示すグラフ又は疾患名を、被保険者がクリックすることによって、携帯端末３０からアドバイス要求が通知部５０に送信され、通知部５０は、アドバイス情報を含む画面情報を携帯端末３０に送信する。例えば、虚血性疾患がクリックされると、図１７に示すように、虚血性疾患の保険金６０００円とともに、「塩分を減らしましょう」及び「１００００歩歩きましょう」等のアドバイス情報が、携帯端末３０の表示画面に表示される。
【０１５８】
このように、被保険者が各疾患に罹患するリスクを如何にして低減できるかのアドバイス情報を表示することによって、被保険者が何をすればさらに各種疾患に罹患するリスクを低減できるかを容易に理解することが可能となり、被保険者の更なる健康努力が後押しされることが期待される。
【０１５９】
上記のように、本実施の形態では、被保険者のバイタルデータ及び生活習慣データを受信し、受信したバイタルデータ及び生活習慣データと、少なくとも被保険者の年齢を含む被保険者データとを基に、疾病の種類毎に保険金を決定しているので、被保険者のバイタルデータ及び／又は生活習慣に応じて、疾病の種類毎の保険金の取り扱いを適切に設定することができ、被保険者に適切な健康管理を促すことができるとともに、疾病に罹患した場合でも闘病に対するモチベーションを向上することができる。
【０１６０】
なお、本実施の形態では、保険金の初期値の算出と、保険金の初期値の補正とを保険金算出装置４０により行ったが、この例に特に限定されず、保険金の初期値を算出する保険金初期値算定装置と、保険金の初期値を補正する保険金補正装置とに分離して構成するようにしてもよい。
【０１６１】
図１８は、図４に示す保険金算出装置の変形例である保険金初期値算定装置の構成の一例を示すブロック図であり、図１９は、図４に示す保険金算出装置の他の変形例である保険金補正装置の構成の一例を示すブロック図である。
【０１６２】
図１８に示す保険金初期値算定装置４０ａは、受信部４１、バイタル蓄積部４２、生活習慣蓄積部４３、個人情報ＤＢ４４、初期保険金算定部４５、バイタル−疾病別保険金初期値テーブル４６ａ、バイタル／生活習慣−疾患ＤＢ（データベース）４７ａ、及び初期保険金通知部５０ａを備える。
【０１６３】
図１８に示す受信部４１、バイタル蓄積部４２、生活習慣蓄積部４３、個人情報ＤＢ４４、初期保険金算定部４５、バイタル−疾病別保険金初期値テーブル４６ａ、バイタル／生活習慣−疾患ＤＢ４７ａ、及び初期保険金通知部５０ａは、図４に示す受信部４１、バイタル蓄積部４２、生活習慣蓄積部４３、個人情報ＤＢ４４、初期保険金算定部４５、保険金初期値記憶部４６、第１疾患ＤＢ４７、及び通知部５０と同様に構成され、保険金初期値算定装置４０ａは、図９に示す初期値決定処理を実行することにより、保険金の初期値を算出する。
【０１６４】
また、図１９に示す保険金補正装置４０ｂは、受信部４１、バイタル蓄積部４２、生活習慣蓄積部４３、個人情報ＤＢ４４、保険金記憶部４８、補正保険金通知部５０ｂ、保険金補正部５１、補正保険金テーブル５２ａ、及びバイタル／生活習慣−疾患ＤＢ（データベース）５３ａを備える。
【０１６５】
図１９に示す受信部４１、バイタル蓄積部４２、生活習慣蓄積部４３、個人情報ＤＢ４４、保険金記憶部４８、補正保険金通知部５０ｂ、保険金補正部５１、補正保険金テーブル５２ａ、及びバイタル／生活習慣−疾患ＤＢ５３ａは、図４に示す受信部４１、バイタル蓄積部４２、生活習慣蓄積部４３、個人情報ＤＢ４４、保険金記憶部４８、通知部５０、保険金補正部５１、保険金補正値記憶部５２、及び第２疾患ＤＢ５３と同様に構成され、保険金補正装置４０ｂは、図１２に示す保険金補正処理を実行することにより、保険金の初期値を補正する。
【０１６６】
上記の場合も、保険金初期値算定装置４０ａ及び保険金補正装置４０ｂにより、上記と同様の効果を得ることができる。
【０１６７】
（実施の形態２）
ここまで述べてきたように、疾病の種類毎の保険金の金額が、被保険者のバイタルデータや生活習慣の改善によって補正され、補正された保険金を疾病の種類毎に支払われる保険金として被保険者に提示されることによって、被保険者がどういう行動を行えば、所定の疾患に罹患するリスクを低減せしめるかを示した。ここで重要となるのは、被保険者が各種バイタルデータや生活習慣を改善するための行動を促すことであり、本実施の形態においては、保険金の増減が提示されることに加え、より効果的に被保険者に健康に繋がる行動変容を実施してもらうための手法に関して説明する。
【０１６８】
図２０は、本開示の実施の形態２に係る代替行動提案システムの構成の一例を示すブロック図である。本実施の形態の代替行動提案システムは、被保険者に対して、日常生活における運動及び食行動をより健康改善につながる代替行動に置き換えるように提案する。以下、図２０に基づいて、本代替行動提案システムの動作を説明する。
【０１６９】
図２０に示す代替行動提案システムは、携行デバイス７０、及び代替行動提案装置８０を備える。携行デバイス７０、及び代替行動提案装置８０は、インターネット、専用回線等の所定の有線又は無線のネットワーク（図示省略）を介して通信可能に接続されている。
【０１７０】
携行デバイス７０は、運動検出部７１、食行動検出部７２、代替行動提案表示部７３、及び通信部７４を備える。携行デバイス７０は、被保険者（保険加入者）が携行するデバイスであり、例えば、被保険者の運動及び食行動等の情報を取得できるスマートウォッチ等のウェアラブル機器等から構成される。なお、携行デバイス７０は、上記の例に特に限定されず、バイタル検出装置１０を代用したり、生活習慣検出装置２０を代用したりする等の種々の変更が可能である。
【０１７１】
携行デバイス７０を運動習慣の改善の目的に使用する場合には、運動検出部７１は、携行する被保険者の運動量に関する指標を所定の時間間隔で測定して運動情報を生成し、通信部７４を介して代替行動提案装置８０に送信する。携行デバイス７０を食習慣の改善の目的に使用する場合には、食行動検出部７２は、携行する被保険者の購入した食品の情報を取込み、購入食品情報を生成し、通信部７４を介して代替行動提案装置８０に送信する。代替行動提案表示部７３は、通信部７４を介して、代替行動提案装置８０から提示される代替行動を示す代替行動提案情報を被保険者に対して提示する。
【０１７２】
運動検出部７１は、好ましくは、加速度センサなどにより被保険者の歩数及び活動量と、ＧＰＳ（Ｇｌｏｂａｌ  Ｐｏｓｉｔｉｏｎｉｎｇ  Ｓｙｓｔｅｍ）センサなどにより被保険者の移動量とを、それぞれ測定して運動情報を検出する。また、食行動検出部７２は、好ましくは、ネットショッピングなどの購入履歴データを連携して取得する取得部、食品購入時のレシートの画像を撮影して読み取る読み取り部、被保険者が購入した食品等を入力する入力部、あるいは冷蔵庫や電子レンジなどの使用履歴から食生活を検知する検知部等のいずれかを検出部として備え、いずれかの検出部により被保険者が購入、又は摂取した食品名とその数量とを購入食品情報として取り込む。
【０１７３】
通信部７４は、運動検出部７１により検出された運動情報及び／又は食行動検出部７２により検出された購入食品情報を、携行デバイス７０を使用する被保険者を識別するための被保険者ＩＤ（識別情報）とともに代替行動提案装置８０に送信する。
【０１７４】
代替行動提案装置８０は、例えば、プロセッサ、メモリ、及び外部記憶装置等を備えるクラウドサーバ等から構成される。代替行動提案装置８０は、行動収集部８１、代替可能行動パターン検出部８２、代替行動データベース８３、前兆行動パターン検出部８４、代替行動検索部８５、代替効果算出部８６、特性データベース８７、及び代替行動提案送出部８８を備える。
【０１７５】
行動収集部８１は、携行デバイス７０から運動情報及び／又は購入食品情報（以下、運動情報及び購入食品情報を合わせて行動情報と称す）を収集し、収集した行動情報と、携行デバイス７０からの被保険者ＩＤとを代替可能行動パターン検出部８２及び前兆行動パターン検出部８４に出力する。
【０１７６】
代替可能行動パターン検出部８２は、行動収集部８１が収集した被保険者の行動情報の時系列パターンの中から、代替行動データベース８３に登録されている代替可能行動に合致する被保険者の行動情報の時系列パターンを代替可能行動パターンとして検出する。また、代替可能行動パターン検出部８２は、代替可能行動パターンの検出頻度が所定以上となったときに、当該代替可能行動パターンの直前に記録されている被保険者の行動情報の時系列パターンの共通点を前兆行動パターンとして抽出する。また、代替可能行動パターン検出部８２は、被保険者ＩＤと、検出した代替可能行動パターン及びその検出頻度と、抽出した前兆行動パターンとを対応付けた代替可能行動パターン情報を一つ又は複数生成して前兆行動パターン検出部８４に出力する。
【０１７７】
具体的には、代替可能行動の一例としては、被保険者の歩数の増加量及び活動量が低いにも関わらず、上下方向の移動量が大きいような運動情報の時系列パターンが挙げられる。この代替可能行動は、エレベータやエスカレータを使って上階へ移動する行動に対応すると考えられ、その代替行動として、階段を使って上階へ移動する行動が代替行動データベース８３に登録されている。
【０１７８】
この場合、代替可能行動パターン検出部８２は、「エレベータで上階に移動した」という代替可能行動パターンを検出すると、所定の期間における検出頻度を算出する。代替可能行動パターン検出部８２は、所定期間に検出頻度が一定以上（例えば、１週間に１日１回以上の検出）となった時点で、同じ代替可能行動パターンが検出される直前の被保険者の運動情報の時系列データを分析してその共通パターン（例えば、特定のエレベータの位置への移動経路やその時間帯など）を、前兆行動パターンとして算出する。
【０１７９】
また、代替可能行動の別の一例としては、より低カロリーの代替食材がある高カロリー食材の購入行動が挙げられる。この場合は、代替可能行動パターン検出部８２は、代替可能な高カロリー食材を購入する時間帯や曜日に、よく利用する食品小売店に近づくといった、時間及び位置に関する共通パターンを前兆行動パターンとして算出する。
【０１８０】
前兆行動パターン検出部８４は、一つ又は複数の代替可能行動パターン情報が生成された後に、行動収集部８１によって収集された被保険者の行動情報の時系列パターンの中から、代替可能行動パターン情報に含まれる前兆行動パターンのいずれかを検出し、検出した前兆行動パターンと、当該前兆行動パターンに対応する代替可能行動パターンと、被保険者ＩＤとを代替行動検索部８５に出力する。
【０１８１】
代替行動検索部８５は、前兆行動パターン検出部８４が検出した前兆行動パターンに対応する代替可能行動パターンにより、代替行動データベース８３から、代替行動と、その代替行動による単位消費エネルギー又は単位摂取エネルギーとを取得し、代替可能行動パターン及びその検出頻度並びに被保険者ＩＤとともに代替効果算出部８６に出力する。
【０１８２】
代替効果算出部８６は、代替可能行動パターン及びその検出頻度、代替行動及び代替行動による単位消費エネルギー又は単位摂取エネルギー、並びに被保険者ＩＤを代替行動検索部８５から受取り、被保険者ＩＤに対応する被保険者特性情報を特性データベース８７から受取り、所定の期間（１年間等）の代替可能行動パターンを代替行動で置換した場合の体重減少量の期待値を、代替効果として算出する。
【０１８３】
代替行動提案送出部８８は、代替行動検索部８５で取得した代替行動の内容と、代替効果算出部８６で算出した代替効果とを含む、代替行動提案情報を、アドバイス情報として携行デバイス７０に送出する。
【０１８４】
具体的には、上記の代替可能行動の一例として示した「エレベータによる上階への移動」の例に従えば、前兆行動パターン検出部８４は、行動収集部８１から取得できる運動情報の時系列パターンの中から、前兆行動パターンとして代替可能行動パターン情報に指定された「特定のエレベータの位置への移動」を示す運動情報を検出する。代替行動検索部８５は、代替行動データベース８３から、対応する代替行動である「階段での上階への移動」を取得するとともに、その際の標準的な体格の人が１ｍの高さを階段で移動したときの消費エネルギーを単位消費エネルギーとして取得する。
【０１８５】
代替効果算出部８６は、代替行動検索部８５から、エレベータで移動中の運動情報である代替可能行動パターンと被保険者ＩＤとを受取り、被保険者ＩＤに対応する少なくとも体重を含む被保険者特性情報を特性データベース８７から取得し、代替可能行動パターン及び被保険者特性情報から代替前消費エネルギーを算出する。
【０１８６】
さらに、代替効果算出部８６は、代替行動検索部８５から受取った代替行動の単位消費エネルギーと、代替可能行動パターンにおける移動高さと、被保険者ＩＤに対応する少なくとも体重を含む被保険者特性情報とから、代替後消費エネルギーを算出する。代替後消費エネルギーと代替前消費エネルギーとの差は、エレベータによる上階への移動１回を、階段での上階への移動に置換えた場合の消費エネルギーの増加分を示す。
【０１８７】
また、代替効果算出部８６は、代替行動検索部８５から代替可能行動パターンの検出頻度を受取り、例えば、１年間の間に起こりうるエレベータでの上階への移動が発生する回数と、上記の消費エネルギーの増加分とを乗じ、１年間代替行動をとった場合の消費エネルギー増加分を算出する。代替効果算出部８６は、算出した消費エネルギー増加分を、蓄積された脂肪の燃焼重量に換算して１年間の減量効果の期待値を算出し、代替行動提案送出部８８を用いて、１年間の減量効果等の代替効果を携行デバイス７０に送信する。携行デバイス７０の代替行動提案表示部７３は、この代替効果を代替行動提案の提示時に併せて被保険者に提示する。
【０１８８】
また、上記の代替可能行動の別の一例として示した「低カロリーの代替食材がある高カロリー食材の購入」の例に従えば、前兆行動パターン検出部８４は、行動収集部８１から取得できる購入食品情報の時系列パターンの中から、前兆行動パターンとして代替可能行動パターン情報に指定された「特定の時間帯や曜日に特定の食品小売店に近づくこと」を示す購入食品情報を検出する。代替行動検索部８５は、代替行動データベース８３から、対応する代替行動である「低カロリーの代替食材の購入」を取得するとともに、その代替食材を標準的な体格の人が単位数量摂取したときの摂取エネルギーを単位摂取エネルギーとして取得する。
【０１８９】
代替効果算出部８６は、上記のエレベータを階段昇降に置換える例と同様の方法で、例えば、今まで１年間摂取していた高カロリー食材を同量の低カロリー代替食材に置換えた場合の摂取エネルギーの減少分を算出し、これを蓄積される脂肪の減少重量に換算する。代替効果算出部８６は、脂肪の減少重量等から１年間の減少効果の期待値を算出し、代替行動提案送出部８８を用いて、１年間の減少効果等の代替効果を携行デバイス７０に送信する。携行デバイス７０の代替行動提案表示部７３は、この代替効果を代替行動提案の提示時に併せて被保険者に提示する。
【０１９０】
上記の処理により、被保険者の行動情報を収集し、収集した行動情報を基に被保険者の健康を改善する代替行動をアドバイス情報として作成し、作成した代替行動を被保険者の携行デバイス７０に通知しているので、被保険者が何をすればさらに各種疾患に罹患するリスクを低減できるかを具体的に理解することが可能となり、被保険者の更なる健康努力をより後押しすることができる。
【０１９１】
以上の構成によれば、１回では被保険者の運動量（消費エネルギー）を増やせる効果が小さい、または、１食では被保険者の摂取エネルギーを減らせる効果が小さいような、負担が軽く実行しやすい代替行動について、被保険者の日常生活の中で頻度高く生じる機会をとらえることで、代替回数を稼いで高い健康改善効果が期待できる提案（アドバイス情報）を、その効果の大きさを示して行うことができる。また、被保険者が代替対象となる行動をとる直前に、前兆行動パターンによる予測でタイミングよく適切な代替行動を提案できる。これにより、被保険者の健康改善のための代替行動実施を効果的に誘導することができるため、被保険者の健康改善が促進され、医療費に関わる保険金の支払いを減らすことができ、保険事業の収支改善への効果が期待できる。
【０１９２】
なお、本実施の形態においては、携行デバイス７０を、運動検出部７１、食行動検出部７２、及び代替行動提案表示部７３の全ての構成を備える一つのデバイスとして説明したが、これらの構成の一部を備える複数のデバイスで構成するようにしてもよい。
【０１９３】
また、特性データベース８７への被保険者毎の体重などの被保険者特性情報の登録については、被保険者を登録する際に測定又は問診により取得したデータを登録するようにしてもよいが、被保険者の体重変化に応じた提案を行うために、定期的に体重計（図示省略）で測定したデータを携行デバイス７０から行動収集部８１へ送信し、特性データベース８７の内容を更新する構成にすることが望ましい。その場合、測定データは、携行デバイス７０で被保険者が手入力するようにしてもよいし、携行デバイス７０に対応付けた体重計から直接取得するようにしてもよい。
【０１９４】
また、携行デバイス７０が備える食行動検出部７２は、購入した食品の情報を取込んだ購入食品情報を生成することとしたが、被保険者が摂取した食品の情報を取込んだ摂取食品情報を生成するように構成してもよい。この場合は、高カロリーの食品の代わりに摂取すべき低カロリーの代替食品を、その摂取前に提示することになる。
【０１９５】
また、代替行動提案装置８０の構成は、上記の例に特に限定されず、例えば、代替行動提案装置８０の各構成を、図４に示すアドバイス作成部４９に付加し、保険金算出装置４０から携行デバイス７０に上記のアドバイス情報を送信して被保険者に提示するようにしてもよい。この場合、実施の形態１でも、実施の形態２と同様の効果を得ることができる。
【０１９６】
なお、実施の形態１および実施の形態２においては、保険金を増減させることを開示したが、医療保険にかかわる他の要素（例えば、入院日数、所定の疾患になった際に支払われる一時金、保険料）を増減させてもよい。
【０１９７】
以上、本開示の一態様に係る保険金算定システム等について、上記の実施の形態に基づいて説明したが、本開示は、上記の実施の形態に限定されるものではない。本開示の趣旨を逸脱しない限り、当業者が想到する各種変形を本実施の形態に施したもの、あるいは異なる実施の形態における構成要素を組み合わせて構築される形態も、本開示の範囲内に含まれる。
【０１９８】
また、本開示において、ユニット、装置、部材又は部の全部又は一部、又は上記で図に示されるブロック図の機能ブロックの全部又は一部は、半導体装置、半導体集積回路（ＩＣ）、又はＬＳＩ（ｌａｒｇｅ  ｓｃａｌｅ  ｉｎｔｅｇｒａｔｉｏｎ）を含む一つ又は複数の電子回路によって実行されてもよい。ＬＳＩ又はＩＣは、一つのチップに集積されてもよいし、複数のチップを組み合わせて構成されてもよい。例えば、記憶素子以外の機能ブロックは、一つのチップに集積されてもよい。ここでは、ＬＳＩやＩＣと呼んでいるが、集積の度合いによって呼び方が変わり、システムＬＳＩ、ＶＬＳＩ（ｖｅｒｙ  ｌａｒｇｅ  ｓｃａｌｅ  ｉｎｔｅｇｒａｔｉｏｎ）、若しくはＵＬＳＩ（ｕｌｔｒａ  ｌａｒｇｅ  ｓｃａｌｅ  ｉｎｔｅｇｒａｔｉｏｎ）と呼ばれるものであってもよい。  ＬＳＩの製造後にプログラムされる、Ｆｉｅｌｄ  Ｐｒｏｇｒａｍｍａｂｌｅ  Ｇａｔｅ  Ａｒｒａｙ  （ＦＰＧＡ）、又はＬＳＩ内部の接合関係の再構成又はＬＳＩ内部の回路区画のセットアップができるｒｅｃｏｎｆｉｇｕｒａｂｌｅ  ｌｏｇｉｃ  ｄｅｖｉｃｅも同じ目的で使うことができる。
【０１９９】
さらに、ユニット、装置、部材又は部の全部又は一部の機能又は操作は、ソフトウエア処理によって実行することが可能である。この場合、ソフトウエアは一つ又は複数のＲＯＭ、光学ディスク、ハードディスクドライブなどの非一時的記録媒体に記録され、ソフトウエアが処理装置（ｐｒｏｃｅｓｓｏｒ）によって実行されたときに、そのソフトウエアで特定された機能が処理装置（ｐｒｏｃｅｓｓｏｒ）および周辺装置によって実行される。システム又は装置は、ソフトウエアが記録されている一つ又は複数の非一時的記録媒体、処理装置（ｐｒｏｃｅｓｓｏｒ）、及び必要とされるハードウエアデバイス、例えばインターフェース、を備えていてもよい。
【産業上の利用可能性】
【０２００】
本開示は、各種保険について、疾病に繋がる可能性があるバイタルデータ、又は生活習慣データのセンシングを行い、適切な健康状態へ改善した被保険者、又は適切な健康状態を維持している被保険者に、保険金で報いることができるので、保険金を算出する保険金算出装置等に有用である。
【符号の説明】
【０２０１】
１０  バイタル検出装置
１１  バイタル検出部
１２  バイタル記憶部
１３  送信部
２０  生活習慣検出装置
２１  生活習慣検出部
２２  生活習慣記憶部
２３  送信部
３０  携帯端末
４０  保険金算出装置
４１  受信部
４２  バイタル蓄積部 
４３  生活習慣蓄積部
４４  個人情報ＤＢ
４５  初期保険金算定部
４６  保険金初期値記憶部
４６ａ  バイタル−疾病別保険金初期値テーブル
４７  第１疾患ＤＢ
４７ａ  バイタル／生活習慣−疾患ＤＢ
４８  保険金記憶部
４９  アドバイス作成部
５０  通知部
５０ａ  初期保険金通知部
５０ｂ  補正保険金通知部
５１  保険金補正部
５２  保険金補正値記憶部
５２ａ  補正保険金テーブル
５３  第２疾患ＤＢ
５３ａ  バイタル／生活習慣−疾患ＤＢ
７０  携行デバイス
７１  運動検出部
７２  食行動検出部
７３  代替行動提案表示部
７４  通信部
８０  代替行動提案装置
８１  行動収集部
８２  代替可能行動パターン検出部
８３  代替行動データベース
８４  前兆行動パターン検出部
８５  代替行動検索部
８６  代替効果算出部
８７  特性データベース
８８  代替行動提案送出部
【図１】
2018026100.tif 000003
【図２】
2018026100.tif 000004
【図３】
2018026100.tif 000005
【図４】
2018026100.tif 000006
【図５】
2018026100.tif 000007
【図６】
2018026100.tif 000008
【図７】
2018026100.tif 000009
【図８】
2018026100.tif 000010
【図９】
2018026100.tif 000011
【図１０】
2018026100.tif 000012
【図１１】
2018026100.tif 000013
【図１２】
2018026100.tif 000014
【図１３】
2018026100.tif 000015
【図１４】
2018026100.tif 000016
【図１５】
2018026100.tif 000017
【図１６】
2018026100.tif 000018
【図１７】
2018026100.tif 000019
【図１８】
2018026100.tif 000020
【図１９】
2018026100.tif 000021
【図２０】
2018026100.tif 000022